【事件の表示】
　平成　９年特許願第２３５０８０号「充電制御回路、及び充電回路の制御方法」拒絶査定不服審判事件〔平成１１年　３月１６日出願公開、特開平１１−　７５３２２〕について、次のとおり審決する。
【結　論】
　本件審判の請求は、成り立たない。
【理　由】
１．手続の経緯・本願発明
　本願は、平成９年８月２９日の出願であって、その請求項１に係る発明（以下、「本願発明」という。）は、平成１７年１月７日付けの手続補正書により補正された明細書及び図面の記載からみて、その特許請求の範囲の請求項１に記載された次の事項により特定されるとおりのものと認める。
「入力電力を二次電池と電圧保持コンデンサを有する負荷回路とに供給する充電制御回路において、
　前記負荷回路の電圧を検出する電圧検出回路と、前記入力電力を前記二次電池に供給する第一の方向性スイッチと、前記入力電力を前記負荷回路に供給する第二の方向性スイッチと、前記二次電池の電力を前記負荷回路に供給する第三の方向性スイッチを備え、
　前記第一の方向性スイッチがオン状態に、前記第二の方向性スイッチと前記第三の方向性スイッチがオフ状態にあり、入力電力が前記二次電池へ供給される第一の状態と、
　前記第一の方向性スイッチと前記第三の方向性スイッチがオフ状態に、前記第二の方向性スイッチがオン状態にあり、入力電力が前記負荷回路に供給される第二の状態と、
　前記第一の方向性スイッチがオフ状態に、前記第二の方向性スイッチと前記第三の方向性スイッチがオン状態にあり、前記負荷回路に入力電力と前記二次電池の電力が供給される第三の状態と、を切り替える充電制御回路であって、
　前記電圧検出回路は前記負荷回路の電圧を検出することにより、前記入力電力が前記負荷回路の駆動に十分な電力のときには、前記第二の状態と前記第一の状態を繰り返すことによって、前記負荷回路を駆動しながら前記二次電池を充電するとともに、
　前記入力電力が前記負荷回路の駆動に不十分な電力のときには、前記第三の状態となり、前記入力電力と前記二次電池の電力で前記負荷回路を駆動することを特徴とする充電制御回路。」
　
　なお、上記手続補正書による補正は、請求項の削除及び明りょうでない記載の釈明を目的としたものと認める。
　
２．引用例
　これに対して、原査定の拒絶の理由に引用された実願昭６２−５５２５６号（実開昭６３−１６１３９０号）のマイクロフィルム（以下、「引用例」という。）には、図面と共に次の事項が記載されている。
（１）「本考案の目的は、２次電池が充電されている間の時計停止状態をなくし、２次電池の充電と時計の動作の両立をさせることにある。」（明細書３頁１９行〜４頁１行）
（２）「図において、太陽電池２には並列に第１の電圧検出回路４が接続されている。この第１の電圧検出回路４は、太陽電池２の起電力が一定値レベル以上になると出力信号がＬレベルからＨレベルになるように構成されている。そして時計回路６に並列に大容量のコンデンサ８が接続され、このコンデンサの両端には第２の電圧検出回路１０が接続されている。この第２の電圧検出回路１０は、コンデンサ８の端子電圧が一定値以上になると出力信号がＨレベルになるように構成されている。
　一方、第１の電圧検出回路４（注：「１２」は誤記）の両端に定電圧器１２（注：「１４」は誤記）が接続され、その出力端子には逆流防止ダイオード１４が接続されている。この定電圧器１２は、太陽電池２の電圧変動を抑えるものであり、また、逆流防止ダイオード１４は太陽電池２に電流が流れ込むのを防止するものである。
　そしてこの逆流防止ダイオード１４と、太陽電池２の一端には、第１のＭＯＳトランジスタ１６と第２のＭＯＳトランジスタ１８とが互いに並列接続された回路と２次電池２０とが挿入されている。この第１のＭＯＳトランジスタ１６はＰチャンネル型であり、ゲート端子には第１の電圧検出回路４の出力信号が供給されている。また第２のＭＯＳトランジスタ１８はＮチャンネル型であり、ゲート端子には第２の電圧検出回路１０の出力信号が供給されている。
　そしてさらに、この第１および第２のＭＯＳトランジスタ１６・１８の一端と第２の電圧検出回路１０の一端の間には第３のＭＯＳトランジスタ２２が接続される。この第３のＭＯＳトランジスタ２２は、Ｐチャンネル型であり、そのゲート端子には第２の電圧検出回路１０の出力信号が供給されている。」（同書５頁２行〜６頁１４行）
（３）「まず太陽電池２に日が当たらず、しかもコンデンサ８の端子電圧も低いときは、第１の電圧検出回路４，第２の電圧検出回路１０ともにその出力信号はＬレベルであり、第１，第３のＭＯＳトランジスタ１６・２２はオンし、第２のＭＯＳトランジスタ１８はオフする。このため２次電池２０から第１および第３のＭＯＳトランジスタ１６・２２を介してコンデンサ８，時計回路６に電流が流れる。これによって時計回路６は駆動し、コンデンサ８は充電される。」（同書６頁１６行〜７頁５行）
（４）「そして、太陽電池２に日が当たっているがコンデンサ８の端子電圧が低いとき、つまりコンデンサ８が充電されていないときは、第１の電圧検出回路４の出力信号はＨレベル、第２の電圧検出回路１０の出力信号はＬレベルとなり、第１および第２のＭＯＳトランジスタ１６・１８はオフし、第３のＭＯＳトランジスタ２２はオンする。この結果太陽電池２からの電流が直接コンデンサ８および時計回路６に流れて時計回路６は駆動され、コンデンサ８は充電される。」（同書７頁１３行〜８頁２行）
（５）「さらに、太陽電池２に日が当たっていて、コンデンサ８の端子電圧も高いときは、第１の電圧検出回路４，第２の電圧検出回路１０の出力信号がともにＨレベルとなり、第１および第３のＭＯＳトランジスタ１６・２２はオフし、第２のＭＯＳトランジスタ１８のみオンする。これによって、２次電池２０は太陽電池２に接続されて充電され、時計回路６は、コンデンサ８に充電された電荷によって駆動される。」（同書８頁３〜１１行）
（６）「このように、２次電池２０が時計回路６を駆動できないほど電圧が低下した状態で急に日の当たる場所におかれた場合、つまり長期間の保存状態から使用を開始しようとする場合は、太陽電池２によって直接時計回路６を駆動するとともに、コンデンサ８を充電し、２次電池２０は充電しない。このために、時計はすぐ動作する。
　そしてコンデンサ８の充電が完了すると時計回路６はコンデンサ８の放電によって動作を継続するようになり、太陽電池２は２次電池２０の充電にのみ用いられ、２次電池２０によって時計回路６が動作するのは日が当たらなくなってコンデンサ８が放電してしまった状態、つまり保存状態にあるときのみである。」（同書８頁１２行〜９頁５行）
（７）「２次電池の充電は、太陽電池２に日が当っていて、予備の電源となっているコンデンサによって時計が動作しているときだけ行なわれるため、時計動作に影響せず、２次電池の充電と時計動作が効率よく、両立して行なえる。」（同書９頁１２〜１６行）
（８）また、図面には、電圧検出回路４，１０の出力信号に基づいてＭＯＳトランジスタ１６，１８，２２のオン・オフを制御し、電力の供給状態を切り替えるようにした太陽電池時計の電力供給制御回路が示されている。
　
　これらの記載事項及び図示内容を総合すると、引用例には、次の発明（以下、「引用発明」という。）が記載されていると認めることができる。
「太陽電池２の起電力を２次電池２０とコンデンサ８を並列接続した時計回路６とに供給する電力供給制御回路において、
　前記太陽電池２の起電力を検出する電圧検出回路４と、前記コンデンサ８の端子電圧を検出する電圧検出回路１０と、前記起電力を前記２次電池２０に供給するＭＯＳトランジスタ１８と、前記起電力を前記時計回路６に供給するＭＯＳトランジスタ２２と、前記２次電池２０の電力を前記ＭＯＳトランジスタ２２を介して前記時計回路６に供給するＭＯＳトランジスタ１６を備え、
　前記ＭＯＳトランジスタ１８がオン状態に、前記ＭＯＳトランジスタ２２と前記ＭＯＳトランジスタ１６がオフ状態にあり、起電力が前記２次電池２０へ供給される第一の状態と、
　前記ＭＯＳトランジスタ１８と前記ＭＯＳトランジスタ１６がオフ状態に、前記ＭＯＳトランジスタ２２がオン状態にあり、起電力が前記時計回路６に供給される第二の状態と、
　前記ＭＯＳトランジスタ１８がオフ状態に、前記ＭＯＳトランジスタ２２と前記ＭＯＳトランジスタ１６がオン状態にあり、前記時計回路６に起電力と前記２次電池２０の電力が供給される第三の状態と、を切り替える電力供給制御回路であって、
　前記電圧検出回路４は前記太陽電池２の起電力を、前記電圧検出回路１０は前記コンデンサ８の端子電圧を、それぞれ検出することにより、
　前記太陽電池２に日が当たっていて前記電圧検出回路４の出力信号がＨレベルのときには、電圧検出回路１０の出力信号がＬレベルであれば前記第二の状態として前記時計回路６を駆動し、前記電圧検出回路１０の出力信号がＨレベルであれば前記第一の状態として前記２次電池２０を充電するとともに、
　前記太陽電池２に日が当たらず前記電圧検出回路４と前記電圧検出回路１０の出力信号が共にＬレベルのときには、前記第三の状態となり、前記起電力と前記２次電池２０の電力で前記時計回路６を駆動する電力供給制御回路。」
　
３．対比
　そこで、本願発明と引用発明とを対比すると、その作用・機能からみて、後者における「太陽電池２の起電力」が前者における「入力電力」に相当し、以下同様に、「２次電池２０」が「二次電池」に、「コンデンサ８」が「電圧保持コンデンサ」に、「並列接続した」が「有する」に、「時計回路６」が「負荷回路」に、「電力供給制御回路」が「充電制御回路」に、「ＭＯＳトランジスタ１８」が「第一の方向性スイッチ」に、「ＭＯＳトランジスタ２２」が「第二の方向性スイッチ」に、「太陽電池２に日が当たっていて電圧検出回路４の出力信号がＨレベルのとき」が「入力電力が負荷回路の駆動に十分な電力のとき」に、「電圧検出回路１０の出力信号がＬレベルであれば第二の状態として時計回路６を駆動し、電圧検出回路１０の出力信号がＨレベルであれば第一の状態として２次電池２０を充電する」が「第二の状態と第一の状態を繰り返すことによって、負荷回路を駆動しながら二次電池を充電する」に、「太陽電池２に日が当たらず電圧検出回路４と電圧検出回路１０の出力信号が共にＬレベルのとき」が「入力電力が負荷回路の駆動に不十分な電力のとき」に、それぞれ相当している。
　また、後者の「２次電池２０の電力をＭＯＳトランジスタ２２を介して時計回路６に供給するＭＯＳトランジスタ１６」と前者の「二次電池の電力を負荷回路に供給する第三の方向性スイッチ」とは、「二次電池の電力を負荷回路に供給する際に使用する第三の方向性スイッチ」との概念で共通している。
　さらに、後者の「太陽電池２の起電力を検出する電圧検出回路４と、コンデンサ８の端子電圧を検出する電圧検出回路１０」と前者の「負荷回路の電圧を検出する電圧検出回路」とは、「所定部位の電圧を検出する電圧検出回路」との概念で、後者の「電圧検出回路４は太陽電池２の起電力を、電圧検出回路１０はコンデンサ８の端子電圧を、それぞれ検出する」と前者の「電圧検出回路は前記負荷回路の電圧を検出する」とは、「電圧検出回路は所定部位の電圧を検出する」との概念で、それぞれ共通している。
　したがって、両者は、
「入力電力を二次電池と電圧保持コンデンサを有する負荷回路とに供給する充電制御回路において、
　所定部位の電圧を検出する電圧検出回路と、前記入力電力を前記二次電池に供給する第一の方向性スイッチと、前記入力電力を前記負荷回路に供給する第二の方向性スイッチと、前記二次電池の電力を前記負荷回路に供給する際に使用する第三の方向性スイッチを備え、
　前記第一の方向性スイッチがオン状態に、前記第二の方向性スイッチと前記第三の方向性スイッチがオフ状態にあり、入力電力が前記二次電池へ供給される第一の状態と、
　前記第一の方向性スイッチと前記第三の方向性スイッチがオフ状態に、前記第二の方向性スイッチがオン状態にあり、入力電力が前記負荷回路に供給される第二の状態と、
　前記第一の方向性スイッチがオフ状態に、前記第二の方向性スイッチと前記第三の方向性スイッチがオン状態にあり、前記負荷回路に入力電力と前記二次電池の電力が供給される第三の状態と、を切り替える充電制御回路であって、
　前記電圧検出回路は前記所定部位の電圧を検出することにより、前記入力電力が前記負荷回路の駆動に十分な電力のときには、前記第二の状態と前記第一の状態を繰り返すことによって、前記負荷回路を駆動しながら前記二次電池を充電するとともに、
　前記入力電力が前記負荷回路の駆動に不十分な電力のときには、前記第三の状態となり、前記入力電力と前記二次電池の電力で前記負荷回路を駆動する充電制御回路。」
の点で一致し、以下の点で相違している。
［相違点１］
　二次電池の電力を負荷回路に供給する際に使用する第三の方向性スイッチに関し、本願発明は、「二次電池の電力を負荷回路に供給する第三の方向性スイッチ」としているところから、第三の方向性スイッチのみで上記供給がなされるものであるのに対し、引用発明は、「２次電池２０の電力をＭＯＳトランジスタ２２を介して時計回路６に供給するＭＯＳトランジスタ１６」としているところから、第三の方向性スイッチ（ＭＯＳトランジスタ１６）と第二の方向性スイッチ（ＭＯＳトランジスタ２２）とにより上記供給がなされるものである点。
［相違点２］
　所定部位と電圧検出回路の関係につき、本願発明は、「負荷回路の電圧を検出する電圧検出回路」あるいは「電圧検出回路は負荷回路の電圧を検出する」とされているところから、電圧検出回路は負荷回路の電圧のみを検出する構成であるのに対し、引用発明は、「太陽電池２の起電力を検出する電圧検出回路４と、コンデンサ８の端子電圧を検出する電圧検出回路１０」あるいは「電圧検出回路４は太陽電池２の起電力を、電圧検出回路１０はコンデンサ８の端子電圧を、それぞれ検出する」とされているところから、電圧検出回路は入力電力（太陽電池２の起電力）を検出するものと負荷回路の電圧（「コンデンサ８の端子電圧」が相当）を検出するものとから構成されている点。
　
４．当審の判断
　上記相違点について以下検討する。
（１）相違点１について
　引用発明において、二次電池の電力を負荷回路に供給するための方向性スイッチとして、単独の方向性スイッチを採用するか他の方向性スイッチと組み合わせたものを採用するかは、「２次電池が充電されている間の時計停止状態をなくし、２次電池の充電と時計の動作の両立をさせる」との課題の下で、当業者が必要に応じて適宜選定し得る設計的事項というべきであり、また、単独の方向性スイッチの採用を阻害する格別の事由も認められない。
　
（２）相違点２について
　本願発明において、電圧検出回路が負荷回路の電圧を検出することの技術的な意義は、特許請求の範囲の請求項１の記載によれば、入力電力が負荷回路の駆動に十分な電力であるか不十分な電力であるかの判断手段を得ることにあるものと解される。
　一方、引用発明においても、電圧検出回路が入力電力を検出し且つ負荷回路の電圧を検出する構成とすることにより、上記と同様の判断手段を得ているものである。
　してみると、引用発明において、このような判断手段に関連する所定部位と電圧検出回路の関係につき、相違点２に係る本願発明の構成とすることは、当業者が必要に応じて適宜改変し得る設計的事項というべきである。
　
　そして、本願発明の全体構成により奏される効果も、引用発明から当業者が予測し得る範囲内のものにすぎない。
　
５．むすび
　したがって、本願発明は、引用発明に基いて当業者が容易に発明をすることができたものであるので、特許法第２９条第２項の規定により特許を受けることができない。
　よって、結論のとおり審決する。